(57)【要約】      （修正有）【課題】利用するユーザに特化した情報を提供する。【解決手段】情報処理装置（管理サーバ）は、ユーザの属性データを記憶する属性データ記憶部と、マーカに対応する複数のコンテンツを記憶するコンテンツ記憶部と、マーカを有する対象物より取得した画像から、当該マーカを特定する特定部と、特定したマーカに対応する複数のコンテンツの中から、提供するコンテンツを選択する選択部と、取得した画像に選択されたコンテンツを示す画像を合成して表示させる表示部と、を備える。選択部は、ユーザの属性データに応じて、コンテンツを選択する。【選択図】図４
2020135416.tif 000002
【特許請求の範囲】
【請求項１】
利用するユーザの属性データを記憶する属性データ記憶部と、
マーカに対応する複数のコンテンツを記憶するコンテンツ記憶部と、
マーカを有する対象物より取得した画像から、当該マーカを特定する特定部と、
前記特定したマーカに対応する複数のコンテンツの中から、提供するコンテンツを選択する選択部と、
前記取得した画像に前記選択されたコンテンツを示す画像を合成して表示させる表示部と、
を備え、
前記選択部は、前記利用するユーザの属性データに応じてコンテンツを選択する、
ことを特徴とする情報処理装置。
【請求項２】
前記属性データには、利用するユーザの年齢を特定する情報が含まれており、
前記選択部は、前記利用するユーザの年齢に応じて、提供するコンテンツを選択する、
ことを特徴とする請求項１に記載の情報処理装置。
【請求項３】
ユーザからの指示に応じて、利用するユーザの変更を受け付ける受付部と、
を備える請求項２に記載の情報処理装置。
【請求項４】
前記コンテンツ記憶部は、前記利用するユーザに関する取得コンテンツを記憶し、
前記特定部は、前記マーカから前記対象物の地域情報を特定し、
前記選択部は、前記特定された対象物の地域情報と、前記記憶された取得コンテンツに付加された現実の地域情報とに応じて、当該記憶された取得コンテンツから提供する取得コンテンツを選択し、
前記表示部は、前記特定された対象物の地域情報に対応する前記取得した画像の位置に、前記選択された取得コンテンツを示す画像を合成して表示させる、
ことを特徴とする請求項３に記載の情報処理装置。
【請求項５】
前記受付部は、利用するユーザの現在又は過去の年齢に関する指定を受け付け、
前記選択部は、前記指定された年齢と、前記記憶された取得コンテンツに付加された取得日時とに応じて、当該記憶された取得コンテンツから提供する取得コンテンツを選択する、
ことを特徴とする請求項４に記載の情報処理装置。
【請求項６】
前記コンテンツ記憶部は、現実の地域情報が付加されたイベントコンテンツを記憶し、
前記特定部は、前記マーカから前記対象物の地域情報を特定し、
前記選択部は、前記特定された対象物の地域情報と、前記記憶されたイベントコンテンツに付加された現実の地域情報とに応じて、当該記憶されたイベントコンテンツから提供するイベントコンテンツを選択し、
前記表示部は、前記特定された対象物の地域情報に対応する前記取得した画像の位置に、前記選択されたイベントコンテンツを示す画像を合成して表示させる、
ことを特徴とする請求項２乃至５の何れか１項に記載の情報処理装置。
【請求項７】
前記選択部は、前記利用するユーザの年齢に応じて、提供するイベントコンテンツを選択する、
ことを特徴とする請求項７に記載の情報処理装置。
【請求項８】
コンピュータを、
利用するユーザの属性データを記憶する属性データ記憶手段、
マーカに対応する複数のコンテンツを記憶するコンテンツ記憶手段、
マーカを有する対象物より取得した画像から、当該マーカを特定する特定手段、
前記特定したマーカに対応する複数のコンテンツの中から、提供するコンテンツを選択する選択手段、
前記取得した画像に前記選択されたコンテンツを示す画像を合成して表示させる表示手段、
として機能させ、
前記選択手段は、前記利用するユーザの属性データに応じてコンテンツを選択する、
ことを特徴とするプログラム。
【発明の詳細な説明】
【技術分野】
【０００１】
本発明は、情報処理装置及びプログラムに関する。
【背景技術】
【０００２】
従来から、ＡＲ（Ａｕｇｍｅｎｔｅｄ  Ｒｅａｌｉｔｙ）技術を用いた製品が知られている。例えば、特許文献１では、表面にマーカを有する物体の撮影画像の位置に、コンテンツを表示する技術が開示されている。
【先行技術文献】
【特許文献】
【０００３】
【特許文献１】特許第６４１３０４２号公報
【発明の概要】
【発明が解決しようとする課題】
【０００４】
このような技術において、撮影画像に合成して表示されるコンテンツは各ユーザに共通しており、利用するユーザの属性（例えば年齢）に応じたコンテンツは表示されていなかった。このため、従来の技術では、利用するユーザに特化した情報が提供できないという問題があった。
【０００５】
本発明はこのような背景を鑑みてなされたものであり、利用するユーザに特化した情報を提供することを目的とする。
【課題を解決するための手段】
【０００６】
上記課題を解決するための本発明の主たる発明は、利用するユーザの属性データを記憶する属性データ記憶部と、マーカに対応する複数のコンテンツを記憶するコンテンツ記憶部と、マーカを有する対象物より取得した画像から、当該マーカを特定する特定部と、前記特定したマーカに対応する複数のコンテンツの中から、提供するコンテンツを選択する選択部と、前記取得した画像に前記選択されたコンテンツを示す画像を合成して表示させる表示部と、を備え、前記選択部は、前記利用するユーザの属性データに応じてコンテンツを選択する、こととする。
【０００７】
その他本願が開示する課題やその解決方法については、発明の実施形態の欄及び図面により明らかにされる。
【発明の効果】
【０００８】
本発明によれば、利用するユーザに特化した情報を提供することができる。
【図面の簡単な説明】
【０００９】
【図１】本発明の一実施形態に係る情報処理装置（コンピュータ）を含むコンテンツ提供システムの全体構成例を示す図である。
【図２】管理サーバ１のハードウェア構成例を示す図である。
【図３】ユーザ端末２のハードウェア構成例を示す図である。
【図４】管理サーバ１のソフトウェア構成例を示す図である。
【図５】属性データの構成例を示す図である。
【図６】コンテンツ情報の構成例を示す図である。
【図７】本実施形態に係る平面地図の一例を示す図である。
【図８】ユーザ端末２のタッチパネルに表示される利用するユーザを変更する変更画面２００の一例を示す図である。
【図９】管理サーバ１の各機能部により実行される処理の流れの例（具体例１）について説明する図である。
【図１０】端末装置１２のタッチパネルに表示されるＡＲ画面４００の一例を示す説明図である。
【図１１】管理サーバ１の各機能部により実行される処理の流れの例（具体例２）について説明する図である。
【図１２】管理サーバ１の各機能部により実行される処理の流れの例（具体例３）について説明する図である。
【発明を実施するための形態】
【００１０】
本発明の一実施形態の内容を列記して説明する。本発明の一実施形態による情報処理装置及びプログラムは、以下のような構成を備える。
【００１１】
［項目１］
利用するユーザの属性データを記憶する属性データ記憶部と、
マーカに対応する複数のコンテンツを記憶するコンテンツ記憶部と、
マーカを有する対象物より取得した画像から、当該マーカを特定する特定部と、
前記特定したマーカに対応する複数のコンテンツの中から、提供するコンテンツを選択する選択部と、
前記取得した画像に前記選択されたコンテンツを示す画像を合成して表示させる表示部と、
を備え、
前記選択部は、前記利用するユーザの属性データに応じてコンテンツを選択する、
ことを特徴とする情報処理装置。
［項目２］
前記属性データには、利用するユーザの年齢を特定する情報が含まれており、
前記選択部は、前記利用するユーザの年齢に応じて、提供するコンテンツを選択する、
ことを特徴とする項目１に記載の情報処理装置。
［項目３］
ユーザからの指示に応じて、利用するユーザの変更を受け付ける受付部と、
を備える項目２に記載の情報処理装置。
［項目４］
前記コンテンツ記憶部は、前記利用するユーザに関する取得コンテンツを記憶し、
前記特定部は、前記マーカから前記対象物の地域情報を特定し、
前記選択部は、前記特定された対象物の地域情報と、前記記憶された取得コンテンツに付加された現実の地域情報とに応じて、当該記憶された取得コンテンツから提供する取得コンテンツを選択し、
前記表示部は、前記特定された対象物の地域情報に対応する前記取得した画像の位置に、前記選択された取得コンテンツを示す画像を合成して表示させる、
ことを特徴とする項目３に記載の情報処理装置。
［項目５］
前記受付部は、利用するユーザの現在又は過去の年齢に関する指定を受け付け、
前記選択部は、前記指定された年齢と、前記記憶された取得コンテンツに付加された取得日時とに応じて、当該記憶された取得コンテンツから提供する取得コンテンツを選択する、
ことを特徴とする項目４に記載の情報処理装置。
［項目６］
前記コンテンツ記憶部は、現実の地域情報が付加されたイベントコンテンツを記憶し、
前記特定部は、前記マーカから前記対象物の地域情報を特定し、
前記選択部は、前記特定された対象物の地域情報と、前記記憶されたイベントコンテンツに付加された現実の地域情報とに応じて、当該記憶されたイベントコンテンツから提供するイベントコンテンツを選択し、
前記表示部は、前記特定された対象物の地域情報に対応する前記取得した画像の位置に、前記選択されたイベントコンテンツを示す画像を合成して表示させる、
ことを特徴とする項目２乃至５の何れか１項に記載の情報処理装置。
［項目７］
前記選択部は、前記利用するユーザの年齢に応じて、提供するイベントコンテンツを選択する、
ことを特徴とする項目７に記載の情報処理装置。
［項目８］
コンピュータを、
利用するユーザの属性データを記憶する属性データ記憶手段、
マーカに対応する複数のコンテンツを記憶するコンテンツ記憶手段、
マーカを有する対象物より取得した画像から、当該マーカを特定する特定手段、
前記特定したマーカに対応する複数のコンテンツの中から、提供するコンテンツを選択する選択手段、
前記取得した画像に前記選択されたコンテンツを示す画像を合成して表示させる表示手段、
として機能させ、
前記選択手段は、前記利用するユーザの属性データに応じてコンテンツを選択する、
ことを特徴とするプログラム。
【００１２】
図１は、本発明の一実施形態に係る情報処理装置（コンピュータ）を含むコンテンツ提供システムの全体構成例を示す図である。本実施形態のコンテンツ提供システムは、情報処理装置としての管理サーバ１とユーザ端末２を含んで構成される。管理サーバ１は、一又は複数のユーザ端末２と通信ネットワーク３を介して通信可能に接続される。通信ネットワーク３は、たとえばインターネットであり、公衆電話回線網や携帯電話回線網、無線通信路、イーサネット（登録商標）などにより構築される。
【００１３】
管理サーバ１は、ユーザに対してコンテンツを提供する情報処理装置（コンピュータ）である。このコンテンツとしては、例えば教育用コンテンツ、撮影コンテンツ、イベントコンテンツなどが挙げられる。管理サーバ１は、たとえば、パーソナルコンピュータやワークステーション、クラウドコンピューティングによる仮想的なコンピュータである。管理サーバ１は、例えばマーカを有する平面地図（対象物）を撮影した画像に関する情報をユーザ端末２から受信した後、利用するユーザの属性データに応じて選択したコンテンツを示す画像をユーザ端末２に送信する。このマーカとしては、国、州、都道府県、市町村、海域、湖、山や山脈、半島、緯度／経度、ＧＰＳ情報、標高などを示すものであって、名称、形状、記号、数値、色など、地図に印刷されているものであれば特に限定されない。管理サーバ１は、いわゆるＷｅｂアプリケーションとしてこれらの機能を実行することを想定する。なお、本発明による撮影の対象物は、平面地図に限られず、例えば、球体の地球儀上のもの等、曲面を一部又は全体に有していものであってもよい。また、地図以外にも、印刷等されている対象の説明や学習内容等が表示して使用するものであればどのような図であってもよい。対象物は、紙や板などの平面を有する者であってもいいし、壁やスクリーンといったものでもよい。また、撮影とは、カメラ機能をオンにして画面越しに対象物を視認することであるが、例えばカメラにより取得される情報が別の表示手段に映し出されていてもよい。
【００１４】
ユーザ端末２は、ユーザが操作するたとえば携帯電話、スマートフォン、タブレットなどの情報処理装置（コンピュータ）である。ユーザ端末２は、マーカを有する平面地図を撮影した画像に関する情報を管理サーバ１に送信し、利用するユーザの属性データに応じて選択されたコンテンツを示す画像を管理サーバ１から受信し、撮影した画像に当該選択されたコンテンツを示す画像を合成してタッチパネル（ディスプレイ）に表示させる。そして、ユーザ端末２は、ユーザから表示されたコンテンツを示す画像に対して指示（例えばタップ操作）があった場合、当該コンテンツの詳細や拡大画像を視聴する画面に遷移させる。ユーザ端末２には、たとえば、本実施形態に係るコンテンツ提供システムに対応する専用アプリケーションソフトがインストールされていてもよい。
【００１５】
図２は、管理サーバ１のハードウェア構成例を示す図である。管理サーバ１は、少なくとも、制御部１０、メモリ１１、ストレージ１２、送受信部１３、入出力部１４等を備え、これらはバス１５を通じて相互に電気的に接続される。制御部１０は、管理サーバ１全体の動作を制御し、各要素間におけるデータの送受信の制御、及びアプリケーションの実行及び認証処理に必要な情報処理等を行う演算装置である。例えば制御部１０はＣＰＵ（Ｃｅｎｔｒａｌ  Ｐｒｏｃｅｓｓｉｎｇ  Ｕｎｉｔ）であり、ストレージ１２に格納されメモリ１１に展開されたプログラム等を実行して各情報処理を実施する。メモリ１１は、ＤＲＡＭ（Ｄｙｎａｍｉｃ  Ｒａｎｄｏｍ  Ａｃｃｅｓｓ  Ｍｅｍｏｒｙ）等の揮発性記憶装置で構成される主記憶と、フラッシュメモリやＨＤＤ（Ｈａｒｄ  Ｄｉｓｃ  Ｄｒｉｖｅ）等の不揮発性記憶装置で構成される補助記憶と、を含む。メモリ１１は、プロセッサ１０のワークエリア等として使用され、また、管理サーバ１の起動時に実行されるＢＩＯＳ（Ｂａｓｉｃ  Ｉｎｐｕｔ／Ｏｕｔｐｕｔ  Ｓｙｓｔｅｍ）、及び各種設定情報等を格納する。ストレージ１２は、アプリケーション・プログラム等の各種プログラムを格納する。各処理に用いられるデータを格納したデータベース（図示せず）がストレージ１２に構築されていてもよい。送受信部１３は、管理サーバ１を通信ネットワーク３に接続する機能を有しており、例えばＢｌｕｅｔｏｏｔｈ（登録商標）やＷｉ−Ｆｉ（登録商標）などの近距離通信インターフェースを備えていてもよい。入出力部１４は、キーボード・マウス類等の情報入力機器、及びディスプレイ等の出力機器である。バス１５は、上記各要素に共通に接続され、例えば、アドレス信号、データ信号及び各種制御信号を伝達する。
【００１６】
図３は、ユーザ端末２のハードウェア構成例を示す図である。ユーザ端末２は、少なくとも、制御部２０、メモリ２１、ストレージ２２、送受信部２３、入出力部２４、カメラ２５等を備え、これらはバス２６を通じて相互に電気的に接続される。制御部２０は、ユーザ端末２全体の動作を制御し、各要素間におけるデータの送受信の制御、及びアプリケーションの実行及び認証処理に必要な情報処理等を行う演算装置である。メモリ２１は、上述した揮発性記憶装置で構成される主記憶と、上述した不揮発性記憶装置で構成される補助記憶と、を含む。ストレージ２２は、アプリケーション・プログラム等の各種プログラムを格納する。送受信部２３は、ユーザ端末２を通信ネットワーク３に接続する機能を有しており、例えば上述した近距離通信インターフェースや、移動体通信網と接続する通信インターフェースを備えている。入出力部２４は、ディスプレイ機能を備えたタッチパネル、スイッチ（ボタン）、マイク、スピーカ、ジャイロセンサ等である。カメラ２５は、静止画や動画を撮影する機能を有する。バス２６は、上記各要素に共通に接続され、例えば、アドレス信号、データ信号及び各種制御信号を伝達する。
【００１７】
図４は、管理サーバ１のソフトウェア構成例を示す図である。管理サーバ１は、特定部１１１、選択部１１２、表示部１１３、受付部１１４、属性データ記憶部１５１、およびコンテンツ記憶部１５２を備える。
【００１８】
なお、各機能部（特定部１１１、選択部１１２、表示部１１３、および受付部１１４）は、管理サーバ１が備える制御部１０がストレージ１２に記憶されているプログラムをメモリ１１に読み出して実行することにより実現される。また、各記憶部（属性データ記憶部１５１、およびコンテンツ記憶部１５２）は、メモリ１１およびストレージ１２の少なくともいずれかにより提供される記憶領域の一部として実現される。
【００１９】
属性データ記憶部１５１は、各ユーザの属性に関する情報（以下、属性データという。）を記憶する。図５は、属性データの構成例を示す図である。
【００２０】
図５に示すように、属性データは、ユーザＩＤと紐づけて記憶されている。この属性データは、例えば、名前やアイコン色、生年月日、性別、居住地を含む。名前やアイコン色は、利用するユーザを識別するための情報である。生年月日、性別、および居住地は、利用するユーザに特化したコンテンツを提供するために用いられる情報である。生年月日は、利用するユーザの年齢を特定するための情報であって、年齢を特定可能な情報であれば特に限定されない。なお、これらの属性データは、例えばユーザ端末２においてユーザ又は保護者が、本実施形態に係るコンテンツ提供システムに対応する専用アプリケーションソフトで初期登録した情報である。
【００２１】
コンテンツ記憶部１５２は、利用するユーザに提供するコンテンツに関する情報（以下、コンテンツ情報という。）を記憶する。図６は、コンテンツ情報の構成例を示す図である。
【００２２】
図６に示すように、コンテンツ情報は、教育用データ、撮影データ、およびイベントデータから構成される。
【００２３】
教育用データには、利用するユーザに教育用教材を提供するためのコンテンツが含まれている。教育用データは、マーカＩＤと紐づけて記憶されている。マーカＩＤには、一つの地域情報（地理情報）が対応付けられている。教育用データは、例えば、地域、教育用コンテンツ（コンテンツデータ）、対象年齢を含む。地域は、マーカＩＤと対応する現実の地域を示す情報であって、例えば教育用コンテンツが関連する都道府県名などが記憶されている。教育用コンテンツとしては、例えば、地域の特産品や歴史などを教育するための動画、音声又はＷｅｂページが挙げられる。対象年齢には、教育用コンテンツの対象となる年齢が記憶されている。
【００２４】
撮影データには、利用するユーザに関する写真や動画などのコンテンツが含まれている。撮影データは、ユーザＩＤと紐づけて記憶されている。この撮影データは、例えば、撮影コンテンツ（コンテンツデータ）、撮影地域、撮影日時を含む。撮影コンテンツとしては、例えば、利用するユーザが撮影された写真や動画が挙げられる。撮影地域は、現実の地域を示す情報である。撮影地域および撮影日時は、撮影コンテンツ（例えば写真データ）に付加された情報（例えばＥＸＩＦ情報）を管理サーバ１が自動的に読み取って登録した情報や、ユーザが撮影コンテンツをアップロードした際に手動で登録した情報である。例えば、管理サーバ１は、写真データに付加された情報に含まれるＧＰＳ情報から、撮影地域を自動的に登録する。同様に、管理サーバ１は、写真データに付加された情報に含まれる撮影日時情報から、撮影日時を自動的に登録する。
【００２５】
イベントデータには、利用するユーザに紹介するイベント情報を提供するためのコンテンツが含まれている。イベントデータは、イベントＩＤと紐づけて記憶されている。このイベントデータは、例えば、イベントコンテンツ（コンテンツデータ）、地域、開催期間、対象年齢、性別を含む。イベントコンテンツとしては、例えば、祭り、花火大会、花や景色の見頃情報、プールや海開き情報、新規オープン店の情報、スキー場の積雪情報などが挙げられ、利用するユーザ等が外出する際に参考となる情報である。地域は、現実の地域を示す情報であって、イベントコンテンツが関連する都道府県名などが記憶されている。開催期間には、イベントが開催されている期間を示す情報であって、イベントコンテンツを提供する時期を決定するために用いられる。対象年齢には、イベントコンテンツの対象となる年齢が記憶されている。性別は、イベントコンテンツの対象となる性別が記憶されている。例えば、鉄道やヒーローに関するイベントは男子が対象となり、動物キャラクターや雛祭りに関するイベントは女子が対象となる。
【００２６】
特定部１１１は、マーカを有する平面地図を撮影した画像から、当該マーカ（マーカＩＤ）を特定する。本実施形態では、特定部１１１は、撮影したマーカから地域情報と対応付けされたマーカＩＤを特定する。この地域情報としては、国、州、都道府県、市町村、海域、湖、山や山脈、半島、緯度／経度、ＧＰＳ情報、標高などが挙げられ、現実世界の位置や領域を示す情報であれば特に限定されない。例えば、「北海道」を示すマーカには、マーカＩＤ「Ｍ０００１」が対応付けされている。
【００２７】
選択部１１２は、特定部１１１により特定したマーカに対応する複数のコンテンツの中から、提供するコンテンツを選択する。本実施形態では、選択部１１２は、コンテンツ記憶部１５２に記憶された教育用コンテンツから、特定部１１１によって特定されたマーカＩＤ（地域情報）に対応する教育用コンテンツ（コンテンツデータ）を提供する教育用コンテンツとして選択する。具体的には、選択部１１２は、特定したマーカＩＤに対応する地域情報が「沖縄県」である場合（即ち、マーカＩＤの座標に対応する地域情報に沖縄が含まれている場合）、地域が「沖縄県」である複数の教育用コンテンツを選択候補とする。詳しくは、マーカＩＤによる座標情報と、当該座標情報より一意に決定される地域（例えば、都道府県等が例示できるがこれ以外の表示単位であってもよい）とが対応付けられて処理がされることとなる。
また、選択部１１２は、利用するユーザの属性データ（例えば年齢、居住地）に応じて、提供する教育用コンテンツを選択する。具体的には、選択部１１２は、利用するユーザの年齢が「５歳」である場合、上記選択候補とされた教育用コンテンツから、対象年齢に「５歳」が含まれる一又は複数の教育用コンテンツを選択する。なお、選択部１１２は、利用するユーザの居住地が「東京都」である場合において、地域に「東京都」が含まれる教育用コンテンツを選択候補としたときには、対象年齢に問わず、当該選択候補の全部を表示する教育用コンテンツとして選択してもよい。これにより、利用するユーザの居住地に関する教育用コンテンツの知識を、当該ユーザに定着させることができる。
【００２８】
また、選択部１１２は、特定部１１１により特定された平面地図の地域情報と、コンテンツ記憶部１５２に記憶された撮影コンテンツ（コンテンツデータ）に付加された現実の地域情報とに応じて、当該記憶された撮影コンテンツから、提供する撮影コンテンツを選択する。具体的には、選択部１１２は、特定されたマーカＩＤに対応する地域情報が「静岡」である場合、コンテンツ記憶部１５２に記憶された撮影コンテンツのうち、撮影地域が「静岡」である撮影コンテンツを選択する。
また、選択部１１２は、後述する受付部１１４によって指定された年齢と、コンテンツ記憶部１５２に記憶された撮影コンテンツに付加された撮影日時とに応じて、当該記憶された撮影コンテンツから、提供する撮影コンテンツを選択する。具体的には、選択部１１２は、受付部１１４によって「３歳」が指定された場合、利用するユーザの属性データから生年月日を取得して当該ユーザが「３歳」であった期間を算出し、当該算出された期間に撮影された撮影コンテンツを選択する。
【００２９】
また、選択部１１２は、特定された平面地図の地域情報と、コンテンツ記憶部１５２に記憶されたイベントコンテンツに付加された現実の地域情報とに応じて、当該記憶されたイベントコンテンツから、提供するイベントコンテンツ（コンテンツデータ）を選択する。具体的には、選択部１１２は、特定されたマーカＩＤに基づく地域情報が「埼玉」である場合、コンテンツ記憶部１５２に記憶されたイベントコンテンツのうち、地域が「埼玉」であるイベントコンテンツを選択する。
また、選択部１１２は、利用するユーザの属性データ（例えば年齢、性別）に応じて、提供するイベントコンテンツを選択する。具体的には、選択部１１２は、利用するユーザの年齢が「５歳」である場合、特定されたマーカＩＤに対応するイベントコンテンツのうち、対象年齢に「５歳」が含まれる一又は複数のイベントコンテンツを選択する。また、選択部１１２は、利用するユーザの性別が「男」である場合、特定されたマーカＩＤに対応するイベントコンテンツのうち、性別に「男」が含まれる一又は複数のイベントコンテンツを選択する。
また、選択部１１２は、イベントコンテンツの開催期間と、現在日時とに基づいて、提供するイベントコンテンツを選択させてもよい。具体的には、選択部１１２は、現在日時から所定期間後（例えば１ヶ月後）までの間に開催する又は開催しているイベントのイベントコンテンツを選択する。
【００３０】
表示部１１３は、撮影した画像に選択されたコンテンツを示す画像を合成して表示させる。本実施形態では、表示部１１３は、選択部１１２により選択されたコンテンツ（例えば教育用コンテンツ）を示す画像を、撮影した画像に合成して表示する。
また、特定部１１１により特定された平面地図の地域情報に対応する撮影した画像の位置に、選択部１１２により選択された撮影コンテンツを示す画像を合成して表示させる。また、表示部１１３は、特定部１１１により特定された平面地図の地域情報に対応する撮影した画像の位置に、選択部１１２により選択されたイベントコンテンツを示す画像を合成して表示させる。
【００３１】
受付部１１４は、ユーザからの指示に応じて、利用するユーザの指定（変更）を受け付ける。また、受付部１１４は、利用するユーザの現在又は過去の年齢に関する指定を受け付ける。
【００３２】
図７は、本実施形態に係る平面地図の一例を示す図である。この平面地図には、各都道府県の名称が印刷されており、当該名称がマーカとなる。また、例えば、この平面地図は、壁に貼り付けることが可能であり、ユーザ端末２のカメラ２５によって容易に撮影することができる。
【００３３】
図８は、ユーザ端末２のタッチパネルに表示される利用するユーザを変更する変更画面２００の一例を示す図である。
【００３４】
図８に示すように、変更画面２００には、利用ユーザ情報領域２０１と、選択ボタン２０２が設けられている。利用ユーザ情報領域２０１には、属性データ記憶部１５１に記憶された各ユーザの名称と色分けされたユーザアイコンが表示される。選択ボタン２０２は、ユーザから指示（タップ操作）されることにより、利用するユーザを変更するためのボタンである。なお、現在選択されている利用ユーザに対応するボタンは、選択不可能な形態で表示される。受付部１１４は、ユーザによって選択ボタン２０２が指示された場合、利用するユーザの変更を受け付ける。
【００３５】
（具体例１）
図９は、管理サーバ１の各機能部により実行される処理の流れの例（具体例１）について説明する図である。この処理は、例えばユーザ端末２において利用するユーザが専用アプリケーションにおいて教育用コンテンツを提供するモードを指定し、カメラ２５で平面地図を撮影した画像を管理サーバ１に送信した場合に開始される。
【００３６】
（ステップＳ３０１）
特定部１１１は、撮影された平面地図からマーカを抽出し、当該抽出したマーカのマーカＩＤ（平面地図の地域情報）を特定する。そして、処理は、ステップＳ３０２の処理に移行する。
【００３７】
（ステップＳ３０２）
選択部１１２は、上記ステップＳ３０１で特定したマーカＩＤに対応する複数の教育用コンテンツの中から、利用するユーザに提供する教育用コンテンツを選択する。具体的には、選択部１１２は、属性データ記憶部１５１における利用するユーザの属性データと、コンテンツ記憶部１５２における教育用データを参照し、特定したマーカＩＤの地域情報に対応する複数の教育用コンテンツの中から、利用するユーザの年齢や居住地に応じて、提供する教育用コンテンツを選択する。これにより、利用するユーザにとって最適な教育コンテンツを提供することができ、子供とともに地図が進化する。そして、処理は、ステップＳ３０３の処理に移行する。
【００３８】
（ステップＳ３０３）
表示部１１３は、上記ステップＳ３０２で選択された教育用コンテンツを示す画像をユーザ端末２のタッチパネル（ディスプレイ）に表示させる。具体的には、表示部１１３は、選択された教育用コンテンツ（コンテンツデータ）のアイコン画像をユーザ端末２に送信するとともに、上記ステップＳ３０１で特定されたマーカ（平面地図の地域情報）に対応する位置にアイコン画像を合成してＡＲ画面を表示させる指令をユーザ端末２に送信する。このアイコン画像としては、コンテンツを示す名称が付されたオブジェクトや、サムネイル画像などが挙げられ、コンテンツデータを示す画像であれば特に限定されない。このマーカに対応する位置としては、ユーザ端末２のカメラ２５で撮影した画像のマーカが含まれる領域や、当該領域の周囲（近傍）が挙げられる。なお、このアイコン画像は、マーカに対応する位置や周囲に固定して表示されてもよいし、マーカの周囲を移動するように表示されてもよい。続いて、受付部１１４は、ユーザ端末２におけるユーザからのアイコン画像に対する指示を受け付け、表示部１１３は、当該指示された教育用コンテンツをユーザ端末２のタッチパネル（ディスプレイ）に表示させる。
【００３９】
図１０は、端末装置１２のタッチパネルに表示されるＡＲ画面４００の一例を示す説明図である。
【００４０】
図１０に示すように、ＡＲ画面４００には、撮影画像領域４０１と、アイコン領域４０２が設けられている。撮影画像領域４０１には、利用するユーザがユーザ端末２で撮影している平面地図の画像が表示される。アイコン領域４０２には、提供するコンテンツとして選択された教育用コンテンツのアイコン画像が表示される。このアイコン領域４０２は、ＡＲ技術によって表示される領域であって、ユーザが撮影した画像に合成して表示される。このアイコン領域４０２は、ユーザから指示（タップ操作）されることにより、教育用コンテンツの詳細や拡大画像を視聴する画面に遷移させるためのボタンとしても機能する。
【００４１】
そして、処理は、図９に示す一連の処理を終了する。
【００４２】
（具体例２）
上述した具体例１では、教育用コンテンツを提供するモードを指定した場合を説明したが、撮影コンテンツを提供するモードを指定することも可能である。
【００４３】
図１１は、管理サーバ１の各機能部により実行される処理の流れの例（具体例２）について説明する図である。この処理は、例えばユーザ端末２において利用するユーザが専用アプリケーションにおいて撮影コンテンツを提供するモードを指定し、カメラ２５で平面地図を撮影した画像を管理サーバ１に送信した場合に開始される。
【００４４】
（ステップＳ５０１）
受付部１１４は、利用するユーザの現在又は過去の年齢に関する指定を受け付ける。例えば、受付部１１４は、利用するユーザの生年月日と現在日時に応じて、０歳から現在の年齢（例えば７歳）までの年齢（数値）を受け付ける。続いて、選択部１１２は、属性データ記憶部１５１における利用するユーザの生年月日を参照し、当該ユーザが指定された年齢であった期間を算出する。そして、処理は、ステップＳ５０２の処理に移行する。
【００４５】
（ステップＳ５０２）
特定部１１１は、撮影された平面地図からマーカを抽出し、当該抽出したマーカのマーカＩＤ（平面地図の地域情報）を特定する。そして、処理は、ステップＳ５０３の処理に移行する。
【００４６】
（ステップＳ５０３）
選択部１１２は、上記ステップＳ５０２で特定したマーカＩＤに対応する複数の撮影コンテンツの中から、利用するユーザに提供する撮影コンテンツを選択する。具体的には、選択部１１２は、コンテンツ記憶部１５２における撮影データの撮影地域と撮影日時を参照し、特定したマーカＩＤの地域情報に対応する撮影コンテンツの中から、上記ステップＳ５０１で算出された期間に撮影された撮影コンテンツを選択する。これにより、上記ステップＳ５０１で指定された年齢当時におけるユーザの思い出の撮影コンテンツを提供することができる。そして、処理は、ステップＳ５０４の処理に移行する。
【００４７】
（ステップＳ５０４）
表示部１１３は、上記ステップＳ５０３で選択された撮影コンテンツを示す画像をユーザ端末２のタッチパネル（ディスプレイ）に表示させる。具体的には、表示部１１３は、選択された撮影コンテンツ（コンテンツデータ）のアイコン画像（コンテンツデータを示す画像）をユーザ端末２に送信するとともに、上記ステップＳ５０２で特定されたマーカ（平面地図の地域情報）に対応する位置にアイコン画像を合成してＡＲ画面を表示させる指示をユーザ端末２に行う。続いて、受付部１１４は、ユーザ端末２におけるユーザからのアイコン画像に対する指示を受け付け、表示部１１３は、当該指示された撮影コンテンツをユーザ端末２のタッチパネル（ディスプレイ）に表示させる。そして、処理は、図１１に示す一連の処理を終了する。
【００４８】
（具体例３）
本実施形態では、イベントコンテンツを提供するモードを指定することも可能である。
【００４９】
図１２は、管理サーバ１の各機能部により実行される処理の流れの例（具体例３）について説明する図である。この処理は、例えばユーザ端末２において利用するユーザが専用アプリケーションにおいてイベントコンテンツを提供するモードを指定し、カメラ２５で平面地図を撮影した画像を管理サーバ１に送信した場合に開始される。
【００５０】
（ステップＳ６０１）
特定部１１１は、撮影された平面地図からマーカを抽出し、当該抽出したマーカのマーカＩＤ（平面地図の地域情報）を特定する。そして、処理は、ステップＳ６０２の処理に移行する。
【００５１】
（ステップＳ６０２）
選択部１１２は、上記ステップＳ６０１で特定したマーカＩＤに対応する複数のイベントコンテンツの中から、利用するユーザに提供するイベントコンテンツを選択する。具体的には、選択部１１２は、属性データ記憶部１５１における利用するユーザの属性データと、コンテンツ記憶部１５２におけるイベントデータを参照し、特定したマーカＩＤの地域情報に対応する複数のイベントコンテンツの中から、利用するユーザの年齢や性別に応じて、提供するイベントコンテンツを選択する。これにより、利用するユーザにとって最適なイベント（例えば企業広告など）を提供することができる。そして、処理は、ステップＳ６０３の処理に移行する。
【００５２】
（ステップＳ６０３）
表示部１１３は、上記ステップＳ６０２で選択されたイベントコンテンツを示す画像をユーザ端末２のタッチパネル（ディスプレイ）に表示させる。具体的には、表示部１１３は、選択されたイベントコンテンツ（コンテンツデータ）のアイコン画像（コンテンツデータを示す画像）をユーザ端末２に送信するとともに、上記ステップＳ６０１で特定されたマーカ（平面地図の地域情報）に対応する位置にアイコン画像を合成してＡＲ画面を表示させる指示をユーザ端末２に行う。続いて、受付部１１４は、ユーザ端末２におけるユーザからのアイコン画像に対する指示を受け付け、表示部１１３は、当該指示されたイベントコンテンツをユーザ端末２のタッチパネル（ディスプレイ）に表示させる。そして、処理は、図１２に示す一連の処理を終了する。
【００５３】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【００５４】
上記実施形態では、管理サーバ１が機能部と記憶部とを両方備えているものとしたが、これに限らず、たとえば、記憶部をデータベースサーバが備えるようにし、管理サーバ１からデータベースサーバにアクセスするようにしてもよい。また、本実施形態では、機能部や記憶部は、管理サーバ１に設けられる場合を説明したが、これらの全部又は一部は、ユーザ端末２に設けられてもよい。
【００５５】
また、上記実施形態では、表示部１１３は、選択部１１２によって選択されたコンテンツを示す画像としてアイコン画像を例に挙げたが、コンテンツそのものを表示させてもよい。例えば、表示部１１３は、「青森」のマーカの周囲に、特産品である「りんご」のオブジェクトを表示させてもよい。
【００５６】
また、上記実施形態では、利用するユーザによってアイコン画像に対する指示を受け付けた場合、コンテンツをユーザ端末２のタッチパネル（ディスプレイ）に表示させることとしたが、当該アイコン画像に関するコンテンツである音声データを再生することとしてもよい。
【００５７】
また、上記実施形態では、マーカを有する平面地図としたが、直方体や立方体、円柱、三角錐、円錐、球体などの地図でもよい。また、地図以外にも、地域名（例えば都道府県名）が記載された図表などであってもよい。
【符号の説明】
【００５８】
１      管理サーバ
２      ユーザ端末
３      通信ネットワーク
１１１  特定部
１１２  選択部
１１３  表示部
１１４  受付部
１５１  属性データ記憶部
１５２  コンテンツ記憶部
【図１】
2020135416.tif 000003
【図２】
2020135416.tif 000004
【図３】
2020135416.tif 000005
【図４】
2020135416.tif 000006
【図５】
2020135416.tif 000007
【図６】
2020135416.tif 000008
【図７】
2020135416.tif 000009
【図８】
2020135416.tif 000010
【図９】
2020135416.tif 000011
【図１０】
2020135416.tif 000012
【図１１】
2020135416.tif 000013
【図１２】
2020135416.tif 000014